(57)【要約】      （修正有）【課題】骨つぼを陶磁器製のつぼではなく、遺骨を土に還すことのできる生分解性を有する骨つぼを提供する。【解決手段】生分解性を有する紙材又はバイオマスプラスチック等を用いて成形してなる骨つぼであり、当該骨つぼは底部を有し且つ上面を開放すると共に蓋を冠着する構造であり、また、側面視は円筒形又は縦方向中央部を適宜膨出せしめた略円筒形又は底部を平面とした略球形状又は角形状等としてなる。【選択図】図１
0003141941.tif 000002
【実用新案登録請求の範囲】
【請求項１】
生分解性を有する紙材又はバイオマスプラスチック等を用いて成形してなる骨つぼであり、当該骨つぼは底部を有し且つ上面を開放すると共に蓋を冠着する構造であり、また、側面視は円筒形又は縦方向中央部を適宜膨出せしめた略円筒形又は底部を平面とした略球形状又は角形状等としてなる生分解性を有する骨つぼ。
【請求項２】
骨つぼに般若心経等夫々の宗旨の経文を表現してなる請求項１の生分解性を有する骨つぼ。
【考案の詳細な説明】
【技術分野】
【０００１】  本考案は、故人の遺骨を納骨する骨つぼの改良に関するものである。
【背景技術】
【０００２】  従来より骨つぼは陶磁器製からなる蓋付容器が一般的である。【０００３】  一方、納骨の方法は、現在では納骨堂或いは墓の納骨室に骨つぼのまま納骨するのが主流に成っているが、昔は人が亡くなると、その遺体を棺桶に納めて、地面に穴を掘り、地下へ埋葬していたことから分かるように、遺骨は土に還すということが本来の考えであり、現在でも、宗派又は地方によっては四十九日の法要後、遺骨は骨つぼから出して墓の納骨室内に散骨されている。即ち極端に言えば、骨つぼは火葬場から墓地へ遺骨を運ぶための容器でしかないのである。【０００４】  また現在の骨つぼは磁器製品がほとんどであり、納骨室内に遺骨を散骨した後、その骨つぼの処理という問題もあった。住職等は、使用済みの骨つぼは小さく割って、屋敷内の人の踏まないような場所に埋めなさいというが、実際に割って屋敷内に埋めるというのも遺骨が入っていた骨つぼということから、なかなか難しいもんだいもあり、仮に屋敷内に埋めるとしても広い屋敷を有している田舎の家はそれで問題がないとしても、都会に居住する人たちにとっては困難なことであり、場合に寄っては、割って不燃ごみとして出すようなこともあったのである。【０００５】  また納骨室内に散骨する場合も、そのまま散骨しないで、生分解性を有する木綿の袋等に納めて納骨室内に納めることが良いといわれ、しかもその袋には、般若心経等の経文を書き込んでおけば故人も成仏できるといわれている。
【考案の開示】
【考案が解決しようとする課題】
【０００６】  解決しようとする問題点は、骨つぼを陶磁器製のつぼではなく、遺骨を土に還すことのできるつぼを開発することが考案が解決しようとする課題である。
【課題を解決するための手段】
【０００７】  本考案は、納骨された遺骨を土に還す手段として、骨つぼを生分解性を有する材料で成形すること、これらが課題を解決するための手段である。
【考案の効果】
【０００８】  従来は陶磁器の単なる白いつぼであったが、遺骨を骨つぼにいれたまま納骨しておく場合には問題はなかったものの、四十九日の法要終了後に遺骨を骨つぼから出して納骨室内に散骨する場合には、散骨した後の骨つぼの処理に問題があったが、また散骨する場合にも木綿の袋等に入れて納骨室内に入れていたが、本考案では生分解性を有する紙材又はバイオマスプラスチック等を用いて成形してなる骨つぼであり、しかも骨つぼに般若心経等夫々の宗旨の経文を表現しているので、骨つぼのまま納骨しておいても、遺骨を土に還すことが容易に行われ、故人も成仏できるものである等、極めて実用的な効果を有するものである。
【考案を実施するための最良の形態】
【０００９】  本考案は、生分解性を有する紙材又はバイオマスプラスチック等を用いて成形してなる骨つぼであり、当該骨つぼは底部を有し且つ上面を開放すると共に蓋を冠着せしめる構造であり、また、側面視は、円筒形又は縦方向中央部を適宜膨出せしめた略円筒形、又は底部を平面とした略球形状、又は角形状等としてなる生分解性を有する骨つぼであり、更には、骨つぼに、般若心経等夫々の宗旨の経文を表現してなる生分解性を有する骨つぼを呈せんとするものである。
【実施例１】
【００１０】  骨つぼ１を生分解性を有する紙材又はバイオマスプラスチック等を用いて成形する。当該骨つぼ１は底部を有し且つ上面を開放すると共に蓋２を冠着する構造であり、また、側面視は円筒形又は図１に示すように縦方向中央部を適宜膨出せしめた略円筒形又は底部を平面とした略球形状又は四角形、長四角形等に形成している。【００１１】  骨つぼ１の主として側面に、般若心経等夫々の宗旨の経文３を表現している。【００１２】  紙の場合の骨つぼ１はパルプモールドという技術にて製造している。パルプモールドとは、古紙を水で溶解し型に流し込んで成形する方法で、まず、溶解工程として、古紙を「パルパー」と呼ばれる大きなミキサーに入れ、水と一緒によく撹拌し紙の繊維をバラバラにほぐす。次に原質調整として、どろどろになったところで「原質装置」に入れて繊維の質を調整する。異物や、短くなりすぎた繊維等はこの段階で除去さる。さらに、加工に適した濃度に調整される。次に成形工程で、「成形機」で金型に吸い上げて水分を抜く。これでやっと骨つぼの形になり、次に乾燥工程で、「乾燥機」にかけて完成する。成形された骨つぼ１は白色等に化粧塗装又は漂白され、次いで側面に般若心経等の経文３を印刷する。紙の場合の成形は当該パルプモールド製法以外にもダンボール加工にて成形することも可能であり製法に限定を受けるものではない。【００１３】  バイオマスプラスチックとしては、まずバイオマスには廃棄物系バイオマス、未利用バイオマス、資源作物があげられ、廃棄物バイオマスには畜産資源（家畜排泄物等）、食品資源（加工残さ、生ごみ、動植物性残さ等）、産業資源（パルプ廃液等）、林産資源（製材工場残材、建築廃材等）、下水汚泥等が上げられ、未利用バイオマスには、林産資源（林地残材）、農産資源（稲わら、もみがら、麦わら等）があげられ、資源作物としては、さとうきび、てんさい等の糖質資源。米、いも類、とうもろこし等のでんぷん資源。なたね、大豆、落花生等の油脂資源が上げられる。このようにバイオマスとは生物資源（ｂｉｏ）の量（ｍａｓｓ）を表す概念で、一般的に再生可能な、生物由来の有機性資源で化石資源を除いたものをバイオマスと呼んでいる。このうち当該骨つぼ１の製造に用いることが可能なバイオマスは、まず廃棄バイオマスの産業資源（パルプ廃液等）、林産資源（製材工場残材、建築廃材等）、未利用バイオマスの林産資源（林地残材）、農産資源（稲わら、もみがら、麦わら等）、資源作物としては、米、いも類、とうもろこし等のでんぷん資源があげられる。【００１４】  当該バイオマスプラスチックを材料として、射出成形にて骨つぼ１を成形する。成形後の骨つぼ１の側面に般若心経等の経文３を印刷する。
【産業上の利用可能性】
【００１５】  従来は陶磁器の単なる白いつぼであったが、遺骨を骨つぼにいれたまま納骨しておく場合には問題はなかったものの、四十九日の法要終了後に遺骨を骨つぼから出して納骨室内に散骨する場合には、散骨した後の骨つぼの処理に問題があったが、また散骨する場合にも木綿の袋等に入れて納骨室内に入れていたが、本考案では生分解性を有する紙材又はバイオマスプラスチック等を用いて成形してなる骨つぼであり、植物等を原料としているので、微生物によって最終的に二酸化炭素と水に分解されることから、遺骨を土に還すことが容易に行われる。また仮に散骨後に骨つぼ１を焼却することがあっても、バイオマスプラスチックには塩素を含んでいないことから、燃やした場合焼却温度が紙と同じ程度といった利点も上げられる。またバイオマスは耐熱性や剛性に優れた植物由来樹脂であり、成形性や収縮率がＡＢＳ、ＰＣ並みであり、通常の加工設備で製造することができる。また微力ではあるが、国産バイオマスの利活用により化石資源を節約できる。未利用バイオマスの林産資源（林地残材）に至っては年間発生量が３７０万トンといわれているが、そのほとんどが未利用であり、これを活用することができる。しかも、骨つぼ１の側面に般若心経等の経文を書き込んでいるので、故人も成仏できる等、産業上での利用可能性は極めて大きいものがある。
【図面の簡単な説明】
【００１６】
【図１】  骨つぼの正面図
【符号の説明】
【００１７】  １  骨つぼ
２  骨つぼ蓋
３  経文
【図１】
0003141941.tif 000003